(57)【要約】【課題】照明モジュールの組立てに際し、光源がねじ止め固定されている場合でも、光漏れを発生させることが無い反射部材の設置を実現する。【解決手段】反射部材４２には、内周面４２ａから外周方向へ延び、Ｚ方向から見て固定部品５を挟むようにスリット４２ｂが形成されている。【選択図】図１
2014041801.tif 000002
【特許請求の範囲】
【請求項１】
第１の開口部を有する環状の導光部材と、
上記導光部材の第１の内周面に対し光を出射する発光素子を有する光源と、
上記第１の開口部と連通する第２の開口部を有し、上記導光部材に積層して上記発光素子と上記第１の内周面との間の空間を覆う環状の反射部材と、を備え、
上記反射部材における積層方向の少なくとも一方の側には、上記発光素子が上記第１の内周面と対向するように上記光源を固定する固定部材が、上記光源から外周方向へ突出して設けられており、
上記反射部材には、その第２の内周面から外周方向へ延び、上記積層方向から見て上記固定部材を挟むようにスリットが形成されていることを特徴とする照明モジュール。
【請求項２】
上記第１の開口部を構成する第１の内周面の形状、上記第２の開口部を構成する第２の内周面の形状、及び上記第１の内周面と対向する上記光源が成す形状は、共に多角形であり、
上記スリットは、上記第２の内周面が構成する多角形の各角部から延びて設けられていることを特徴とする請求項１に記載の照明モジュール。
【請求項３】
上記導光部材の外周面は、上記積層方向における上側から下側へ向かって幅広になるように傾斜した傾斜面となっており、上記外周面には、反射層が設けられていることを特徴とする請求項１または２に記載の照明モジュール。
【請求項４】
上記光源は、上記発光素子を実装する基板を備え、
上記光源を保持するための基材は、金属で構成されていることを特徴とする請求項１〜３の何れか１項に記載の照明モジュール。
【請求項５】
請求項１〜４の何れか１項に記載の照明モジュールと、
上記光源を点灯する点灯手段と、を備えたことを特徴とする照明装置。
【発明の詳細な説明】
【技術分野】
【０００１】
本発明は、室内照明として使用される照明モジュールに関し、更に詳しくは、光源と導光板からなり、前記光源からの光が導光板を通して発光面から出射する照明モジュール、及びこれを用いた照明装置に関する。
【背景技術】
【０００２】
近年、導光板を利用した薄型の照明装置が種々提案されている。導光板を利用した照明装置では、導光板の入射面から入射した光を、導光板の対向面間の全反射により伝播させ、上記伝播光を拡散反射層や凹凸パターンにより導光板外部に出射させている。これによって、照明装置として機能する。
【０００３】
導光板を利用した照明装置の技術としては、例えば特許文献１に開示された技術が挙げられる。特許文献１の照明装置では、光源から出射される光を効率よく導光板の入射面に入射させるために、光源の光出射部と導光板の入射面との間の空間を囲むように、反射シート等の反射部材が設けられている。これによって、導光板の入射面以外の部分に光源からの出射光が漏れることを防止することができる。その結果、光源からの出射光を有効利用することができる。
【０００４】
また、特許文献２には、発光光源と対向する入射側面に、開口部を構成する側壁面が略四角形であり、かつ底部に円弧状（円筒状）の角部を有する盲孔（窪み）が１個または複数設けられた導光板が開示されている。
【先行技術文献】
【特許文献】
【０００５】
【特許文献１】特開２００７−２３４４１２号公報（２００７年  ９月１３日公開）
【特許文献２】特開２００３−２１５３４６号公報（２００３年  ７月３０日公開）
【発明の概要】
【発明が解決しようとする課題】
【０００６】
導光板の入射面以外の部分に光が漏れることを防止し、効率的に入射面に入光させるためには、光源及び導光板の入光部の両方と反射部材との隙間を無くして、光源と入射面との間の空間を全体的に反射部材で囲むことが望ましい。
【０００７】
例えば、複数のＬＥＤ素子が１つの基板上に直線状に配列された部材を光源として使用する場合、図８に示されるように、シート状の反射部材を導光板の上下方向から挟む。そして、この反射部材を、複数のＬＥＤ素子が配列された基板に接近させることによって、導光板の入射面と光源との間の空間を隙間なく反射部材で囲むことができる。
【０００８】
また、一般的に、複数のＬＥＤ素子が配列された基板を光源として使用する場合、光源は、金属部材に対してねじ止め固定されている。これによって、光源が発光する際に発生する熱を効率よく外部へ伝熱する、あるいは放熱することができる。
【０００９】
ねじ固定された光源に対して反射部材を設置する場合、反射部材を光源側にスライドさせ、基板に対して接近させる。これによって、導光板の入射面と光源との間の空間を隙間なく反射部材で囲むことができる。
【００１０】
しかし、図９に示されるような照明装置に反射部材を設置する場合、導光板の入射面と光源との間の空間を隙間なく反射部材で囲むことが困難である。図９に示される照明装置において、光源は、基板が多角形形状を成して立設するように配置され、ＬＥＤ素子は、該多角形形状の外側へ光を出射する。そして、導光板は、環状になっており、この環形状の内周面が、光源からの光の入射面（入光部）となっている。
【００１１】
図９に示されるように、光源が多角形形状に配置され、導光板の入射面（入光部）がリング状の導光板の内周に設けられている構成に反射部材を設置する場合、反射部材が、光源を固定するねじと干渉してしまう。このため、反射部材を基板と接近させた状態で設置することができない。
【００１２】
また、図１０に示されるように、反射部材におけるねじとの干渉部分に逃げを設けることによって、反射部材とねじとの干渉を回避することは可能である。しかし、この場合、逃げの部分が隙間となり、そこから光漏れが生じ、光利用効率が悪化する。
【００１３】
本発明は、上記の課題を鑑みてなされたものであり、光源がねじ止め固定されている場合でも、光漏れを発生させること無く反射部材を設置することが可能な照明モジュール、及びそれを備えた照明装置を実現することを目的とする。
【課題を解決するための手段】
【００１４】
本発明の照明モジュールは、上記の課題を解決するために、第１の開口部を有する環状の導光部材と、上記導光部材の内周面に対し光を出射する発光素子を有する光源と、上記第１の開口部と連通する第２の開口部を有し、上記導光部材に積層して上記発光素子と上記内周面との間の空間を覆う環状の反射部材と、を備え、上記反射部材における積層方向の少なくとも一方の側には、上記発光素子が上記内周面と対向するように上記光源を固定する固定部材が、上記光源から外周方向へ突出して設けられており、上記反射部材には、内周面から外周方向へ延び、上記積層方向から見て上記固定部材を挟むようにスリットが形成されていることを特徴としている。
【００１５】
上記の構成によれば、導光部材は、第１の開口部を有する環状の部材であり、反射部材は、上記第１の開口部と連通する第２の開口部を有する環状の部材である。さらに、反射部材は、上記導光部材に積層して発光素子と導光部材の内周面との間の空間を覆うように配置されている。さらに、上記反射部材における積層方向の少なくとも一方の側には、上記発光素子が上記内周面と対向するように上記光源を固定する固定部材が、上記光源から外周方向へ突出して設けられている。
【００１６】
このような構成を有する照明モジュールを組立てるに際し、固定部材は上記光源から外周方向へ突出してので、上記積層方向の上側から反射部材を導光部材に設置するとき、固定部材と反射部材とか干渉してしまう。
【００１７】
上記の構成によれば、上記反射部材には、内周面から外周方向へ延び、上記積層方向から見て上記固定部材を挟むようにスリットが形成されているので、反射部材における光源に近接する内周部は、積層方向に可撓する。
【００１８】
それゆえ、反射部材が固定部材に接触・干渉しても、反射部材の内周部が撓むので、結果として、固定部材を避けて、かつ、発光素子を積層方向上側から覆うように、反射部材を設置することができる。その結果、光源が固定部材により固定されている場合においても、積層方向の上側及び下側の両側から発光素子を覆うことが可能となるため、光利用効率を低減することはない。よって、上記の構成によれば、光源がねじ止め固定されている場合でも、光漏れを発生させること無く反射部材を設置することが可能な照明モジュールを実現することができる。
【００１９】
本発明の照明モジュールでは、上記第１の開口部を構成する第１の内周面の形状、上記第２の開口部を構成する第２の内周面の形状、及び上記第１の内周面と対向する上記光源が成す形状は、共に多角形であり、上記スリットは、上記第２の内周面が構成する多角形の各角部から延びて設けられていることが好ましい。
【００２０】
これによって、光源からの光を導光部材の外周方向へ均一に導光することができるとともに、光源がねじ止め固定されている場合でも、光漏れを発生させること無く反射部材を設置することができる。
【００２１】
本発明の照明モジュールでは、上記導光部材の外周面は、上記積層方向における上側から下側へ向かって幅広になるように傾斜した傾斜面となっており、上記外周面には、反射層が設けられていることが好ましい。
【００２２】
上記の構成によれば、上記導光部材の外周面は、上記積層方向における上側から下側へ向かって幅広になるように傾斜した傾斜面となっており、上記外周面には、反射層が設けられているので、導光部材を導光する光のうち、導光部材の外周側面に到達する成分は反射層から反射する。この反射光は、導光部材の出射面から外部へ出射する。よって、上記の構成によれば、導光部材の外周側面に到達する光を反射層によって反射させることによって、導光部材の出射面から取り出すことが可能になる。その結果、照明モジュールの照度を上げることが可能になる。
【００２３】
本発明の照明モジュールでは、上記光源は、上記発光素子を実装する基板を備え、上記光源を保持するための基材は、金属で構成されていることが好ましい。
【００２４】
これによって、光源から発生する熱を効率的に、放熱する、あるいは伝熱することができる。
【００２５】
本発明の照明装置は、上記の課題を解決するために、上述の照明モジュールと、上記光源を点灯する点灯手段と、を備えたことを特徴としている。
【００２６】
よって、上記の構成によれば、光源がねじ止め固定されている場合でも、光漏れを発生させること無く反射部材を設置することが可能な照明装置を実現することができる。
【発明の効果】
【００２７】
本発明の照明モジュールは、以上のように、第１の開口部を有する環状の導光部材と、上記導光部材の内周面に対し光を出射する発光素子を有する光源と、上記第１の開口部と連通する第２の開口部を有し、上記導光部材に積層して上記発光素子と上記内周面との間の空間を覆う環状の反射部材と、を備え、上記反射部材における積層方向の少なくとも一方の側には、上記発光素子が上記内周面と対向するように上記光源を固定する固定部材が、上記光源から外周方向へ突出して設けられており、上記反射部材には、内周面から外周方向へ延び、上記積層方向から見て上記固定部材を挟むようにスリットが形成されている構成である。
【００２８】
本発明の照明装置は、以上のように、上記照明モジュールと、上記光源を点灯する点灯手段と、を備えた構成である。
【００２９】
それゆえ、光源がねじ止め固定されている場合でも、光漏れを発生させること無く反射部材を設置することができるという効果を奏する。
【図面の簡単な説明】
【００３０】
【図１】本発明の一実施形態の照明モジュールの構成を示し、（ａ）は斜視図であり、（ｂ）は正面図であり、（ｃ）は、照明モジュールの内部構造を示し、（ｂ）のＸ−Ｘ断面図である。
【図２】図１に示す光源の構成を示す上面図である。
【図３】（ａ）〜（ｃ）は、照明モジュールの組立方法における手順の一例を示す斜視図である。
【図４】反射部材を導光手段に設置するときの、光源に近接する内周部の動作を模式的に示す断面図である。
【図５】図１の照明モジュールを備えた照明装置の一例を示す斜視図である。
【図６】本発明の他の実施形態の照明モジュールの構成を示し、（ａ）は斜視図であり、（ｂ）は正面図である。
【図７】図６の照明モジュールに備えられた導光手段の外周形状を示す断面図である。
【図８】複数のＬＥＤ素子が１つの基板上に直線状に配列された部材を光源として使用した従来の照明モジュールの一構成例を示す断面図である。
【図９】ＬＥＤ素子を実装する基板が多角形形状を成して立設するように光源が配置された照明モジュールの構成を示す斜視図である。
【図１０】図９の照明モジュールに用いられ、光源を固定する固定部品のための逃げ部を有する反射部材の構成を示す上面図である。
【発明を実施するための形態】
【００３１】
〔実施の形態１〕
本発明の一実施形態について図１〜図４に基づいて説明すれば、以下のとおりである。図１は、本実施形態の照明モジュール１００の構成を示し、図１の（ａ）は斜視図であり、図１の（ｂ）は正面図であり、図１の（ｃ）は、照明モジュール１００の内部構造を示し、図１（ｂ）のＸ−Ｘ断面図である。なお、本発明の図面において、同一の参照符号は、同一部分または相当部分を表すものとする。
【００３２】
（照明モジュールの構成）
本実施形態の照明モジュール１００は、図１に示されるように、光源１と、光源１から出射された光を導光する導光手段２（導光部材）と、光源１及び導光手段２を保持するベース３（基材）と、反射部材４１・４２とを備えている。反射部材４１・４２は、光源１と導光手段２との間の空間（光結合部）を覆うように配置されている。
【００３３】
（光源１及び導光手段２）
図２は、光源１の構成を示す上面図である。図２に示されるように、光源１は、少なくとも１つの発光素子１２と、発光素子１２を実装するための基板１１とを備えている。なお、光源１は、図示しない光源制御手段（点灯手段）によって制御されており、光源１からの出射光の出力調整が可能になっている。なお、本発明でいう「照明装置」とは、図１等に示す照明モジュール１００と、照明モジュール１００における光源１の点灯を制御する光源制御手段とを備えた装置を意味する。
【００３４】
また、図２に示されるように、発光素子１２を、例えば昼白色、電球色等といった発光色が異なる複数の発光素子で構成した場合、個々の発光素子の光出力を光源制御手段によって制御することにより、光源１からの出射光の色調整を行うことが可能になる。
【００３５】
例えば、昼白色の発光素子のみが点灯するように制御すれば、光源１からの出射光は昼白色となる。また、電球色の発光素子のみが点灯するように制御すれば、光源１からの出射光は電球色となる。また、昼白色の発光素子と電球色の発光素子とを同時に点灯し、各色の光量の割合を調整することによって、光源１からの出射光の色調を変化させることが可能になる。
【００３６】
複数の光源１は、基板１１が１２角形形状を成して立設するように配置され、発光素子１２は、１２角形形状の外側へ向かって光を出射するようになっている。
【００３７】
光源１は、導光手段２の入射面２１に対して対向するように配置されている。光源１からの出射光は、導光手段２の入射面２１に入光し、全反射を繰り返して導光手段２内部を導光する。
【００３８】
（導光手段２について）
導光手段２は、透光性を有する材料からなる板状の部材である。導光手段２の材料は、アクリル樹脂である。導光手段２は、光源１からの出射光を入射する入射面２１と、内部で導光している光を外部へ出射する出射面２２・２３を有している。出射面２２・２３の少なくとも一方の面には、図示しない拡散部が形成されている。この拡散部は、導光手段２内部を導光する光を拡散する機能を有し、拡散ドット、プリズム、マイクロレンズ等で構成されている。また、拡散部は、光拡散材料をスクリーン印刷等の印刷することによって、拡散ドットのパターンとすることができる。
【００３９】
光源１からの出射光は、導光手段２の内部を導光し拡散部に入射すると、拡散する。拡散部にて拡散した光は、出射面２２または２３に入射する。このとき、拡散部にて拡散した光のうち、出射面２２または２３に対し全反射条件を満たさない角度で入射した（全反射条件が崩れた）成分は、出射面２２または２３から外部へ出射することになる。また、出射面２２または２３に対し全反射条件を満たす角度で入射した成分は、出射面２２または２３で全反射しつつ、導光手段２内部を導光する。このように、導光手段２の内部を導光する光は、拡散部の作用によって、全反射して伝搬しつつ、出射面２２または２３から外部へ出射する。その結果、照明モジュール１００は、面発光照明を実現することができ、照明装置としての機能を果たす。
【００４０】
なお、導光手段２の材料は、アクリル樹脂に限定されず、透光性を有し内部を導光する光を出射面から取り出すことが可能な材料であればよく、例えば、ＰＣ（ポリカーボネート）、ＰＳ（ポリスチレン）等が挙げられる。
【００４１】
また、導光手段２は、透光性を有する材料に、光を拡散する拡散剤が添加された部材で構成されていてもよい。導光手段２内部を導光する光は、添加された拡散剤に入射すると、上述の拡散部に入射した場合と同様に、出射面２２または２３から外部へ出射する成分と、出射面２２または２３で全反射する成分とに分かれる。その結果、照明モジュール１００は、面発光照明を実現することができ、照明装置としての機能を果たす。
【００４２】
（光源１の配置及び光源１をベース３に固定する部材について）
複数の光源１は、図１の（ａ）及び（ｂ）に示されるように、１２角形形状を成すように立設して配置されている。個々の光源１は、ベース３に対して、例えばネジ等の固定部品５（固定部材）により固定されている。
【００４３】
光源１点灯時には、発光素子１２（図２参照）が発熱する。それゆえ、発光素子１２から発生する熱を効率よく伝熱する、あるいは放熱するために、ベース３の材料は、例えばアルミニウム等の金属であることが好ましい。
【００４４】
（導光手段２の入射面２１）
導光手段２は、開口部（不図示；第１の開口部）を有し、該開口部に、１２角形形状を成して固定された複数の光源１が入るようになっている。導光手段２においては、開口部を構成する側壁面が、光源１からの出射光を入射する入射面２１（第１の内周面）となっている。それゆえ、導光手段２の開口部を構成する側壁は、１２角形形状になっている。そして、１２角形形状の各辺にあたる側壁面（入射面２１）は、複数の光源１が構成する１２角形形状の各辺（すなわち、個々の光源１）に対向する。換言すれば、導光手段２は、中央に開口部を有する環状になっており、その内周面は、発光素子１２と対向し、光源１からの出射光を入射する入射面２１となっている。
【００４５】
光源１の出射光は、入射面２１に入射し、入射面２１から外周方向に導光し、上述した拡散部または拡散剤の作用によって、出射面２２・２３から出射する。
【００４６】
（光源１と導光手段２との間の空間Ａ（光結合部）について）
光源１からの出射光は、広がり角で出射する。そのため、出射角度が相対的に小さい光は、導光手段２の入射面２１に入射する一方、出射角度が相対的に大きい光は、導光手段２の入射面２１に入射せず外れてしまう。このため、光結合に関する損失が発生する。
【００４７】
反射部材４１・４２は、この損失を低減するための部材であり、光源１と導光手段２の入射面２１との間の空間Ａ（光結合部）を覆うように配置されている。これによって、光源１からの出射光のうち、出射角度が相対的に大きく導光手段２の入射面２１から外れてしまう光は、反射部材４１・４２により反射する。そして、この反射光の一部は、入射面２１に入射するため、光結合に関する損失を低減することが可能になる。
【００４８】
反射部材４１・４２の配置は、反射部材４１・４２の端面を基板１１に接近させ、発光素子１２の周囲を完全に覆う形とすることが好ましい。
【００４９】
（反射部材４１・４２の構造）
また、反射部材４１・４２は、導光手段２の開口部と連通する開口部（不図示；第２の開口部）を有する。反射部材４１・４２の開口部を形成する内周は、導光手段２の開口部に対応するように、１２角形形状になっている。また、図１の（ｃ）に示されるように、反射部材４１、導光手段２、及び反射部材４２は、この順に積層されている。以下の説明では、反射部材４１、導光手段２、及び反射部材４２の積層方向をＺ方向とする。また、「上側」とは、導光手段２を基準とした場合、反射部材４２側と意味し、「下側」とは、反射部材４１側を意味する。また、後述する図５に示された照明装置においては、「下側」とは、床面側をいい、「上側」とは、天井側をいう。
【００５０】
反射部材４１・４２の内周面４１ａ・４２ａはそれぞれ、光源１の基板１１に近接している。そして、反射部材４１・４２は、発光素子１２をＺ方向の上側及び下側の両側から覆うようになっている。
【００５１】
以上のように、光源１と、照明モジュール１００は、開口部を有する環状の導光手段２と、導光手段２の開口部と連通する開口部を有する環状の反射部材４１・４２とを備えている。光源１は、導光手段２の内周面である入射面２１に対し光を出射する発光素子１２を有している。また、反射部材４１・４２はそれぞれ、導光手段２に積層して、発光素子１２と入射面２１との間の空間Ａを覆っている。
【００５２】
また、図１の（ｃ）に示されるように、反射部材４１・４２における積層方向（Ｚ方向）の上側（反射部材４２側）には、固定部品５が、光源１から外周方向に突出して設けられている。この固定部品５は、発光素子１２が入射面２１と対向するように、光源１を基材としてのベース３に固定する。
【００５３】
（照明モジュール１００の特徴的構成）
照明モジュール１００は、発光素子１２における固定部品５側から覆う反射部材４２に少なくとも２つのスリット４２ｂが形成されている。このスリット４２ｂは、図１の（ｂ）及び（ｃ）を見てわかるように、反射部材４２の内周面４２ａ（第２の内周面）から外周方向へ延びている。そして、Ｚ方向から見て（図１の（ｂ）参照）、固定部品５を挟むように形成されている。より具体的には、スリット４２ｂは、反射部材４２の開口部を形成する１２角形形状の内周面４２ａの各角部から外周方向に延びるように形成されている。そして、Ｚ方向から見て、光源１を固定する固定部品５が、２つのスリット４２ｂの間に配されるようになっている。
【００５４】
このようにスリット４２ｂが形成されているので、反射部材４２における光源１に近接する内周部４２ｃは、Ｚ方向に可撓する。よって、光源１が固定部品５によって固定されている場合でも、光漏れを発生させること無く、Ｚ方向上側から反射部材４２を導光手段２に設置することが可能になる。
【００５５】
ここで、照明モジュール１００の組立方法の手順の一例について、説明する。図３の（ａ）〜（ｃ）は、照明モジュール１００の組立方法における手順の一例を示す斜視図である。
【００５６】
まず、図３の（ａ）に示されるように、ベース３に反射部材４１を設置する。ベース３は、１２角柱の筒状部３Ａを有している。光源１は、筒状部３Ａの外周に固定される。反射部材４１の開口部に筒状部３Ａを挿入することによって、ベース３に反射部材４１を設置する。このとき、反射部材４１の内周面４１ａは、筒状部３Ａの外周に近接した状態になっている。
【００５７】
次に、図３の（ｂ）に示されるように、ベース３における筒状部３Ａの外周に光源１を固定部品５によって固定する。
【００５８】
そして、次に、図３の（ｂ）に示された構成にＺ方向上側から導光手段２を設置する。このとき、入射面２１（内周面）が光源１の発光素子１２と対向するように、導光手段２を設置する。換言すれば、Ｚ方向上側から見て、光源１が成す１２角形形状の各角部が、入射面２１が構成する１２角形形状の各角部に対応するように、導光手段２を設置する。次いで、Ｚ方向上側から反射部材４２を導光手段２に積層して配置する。このとき、Ｚ方向上側から見て、１２角形形状の内周面４２ａの各角部が、光源１が構成する１２角形形状の各角部に適合するように、反射部材４２を設置する。
【００５９】
図４は、Ｚ方向上側から反射部材４２を導光手段２に設置するときの、光源１に近接する内周部４２ｃの動作を模式的に示す断面図である。１２角形形状の内周面４２ａの各角部にはスリット４２ｂが形成されているので、反射部材４２における光源１に近接する内周部４２ｃは、Ｚ方向に可撓する。
【００６０】
Ｚ方向上側から反射部材４２を導光手段２に設置するに際し、反射部材４２と固定部品５とは互いに干渉する。固定部品５と干渉したとき、反射部材４２の内周部４２ｃは、撓んだ状態で固定部品５と接触しており、導光手段２に接触していない。そして、さらに反射部材４２をＺ方向下側に押し込むと、反射部材４２の外周部４２ｄが、導光手段２に接触した状態になっている。このとき、反射部材４２の内周部４２ｃには、外周部４２ｄと同じレベルになるように、Ｚ方向下側へ向かう復元力が働く。そして、この復元力によって、内周部４２ｃは、固定部品５をスライドし、固定部品５のＺ方向下側に配置される。その結果、反射部材４２は、固定部品５を避けて、かつ、発光素子１２をＺ方向上側から覆うようになる。
【００６１】
最終的に組み立てられた照明モジュール１００の構成を、図３の（ｃ）に示す。図３の（ｃ）に示されるように、反射部材４２は、固定部品５よりもＺ方向下側に配置されている。光源１の発光素子１２は、反射部材４２によって覆われる一方、光源１を固定する固定部品５は、反射部材４２によって覆われることなく、反射部材４２外部に露出している。
【００６２】
例えば、上述した図１０の技術のように、反射部材４２に固定部品５に対する逃げ部を設けた場合、Ｚ方向上側から反射部材４２を固定部品５に干渉することなく設置することが可能である。しかし、この場合、逃げ部が設けられた箇所では、発光素子１２は反射部材４２によって覆われていない（露出している）。このため、発光素子１２の出射光のうち、逃げ部の方向に出射した成分は、全て損失となる。その結果、光利用効率は低減する。
【００６３】
一方、本実施形態の照明モジュール１００の構成によれば、上述のように、反射部材４２には、内周面４２ａから外周方向へ延び、かつ、Ｚ方向から見て（図１の（ｂ）参照）、固定部品５を挟むように形成されている。このため、Ｚ方向上側から反射部材４２を設置しても、固定部品５を避けて、かつ、発光素子１２をＺ方向上側から覆うことができる。その結果、光源１が固定部品５により固定されている場合においても、Ｚ方向上側及びＺ方向下側の両側から発光素子１２を覆うことが可能となるため、光利用効率を低減することはない。
【００６４】
〔実施の形態２〕
（照明装置の構成について）
本発明の他の実施形態について図５に基づいて説明すれば、以下のとおりである。ここでは、上述の実施形態の照明モジュール１００を備えた照明装置について、説明する。
【００６５】
本実施形態の照明装置は、照明モジュール１００と、照明モジュール１００における光源１の点灯を制御する光源制御手段とを備えた構成となっている。図５は、このような照明装置の一例を示す斜視図である。なお、本実施形態の照明装置は、図５に示された構成に限定されない。
【００６６】
図５に示された照明装置は、照明モジュール１００と、上部筐体部１０１とを備えている。上部筐体部１０１は、天井に設置されている。上部筐体部１０１の内部には、照明モジュール１００における光源１の点灯を制御する光源制御手段、及び電源部が収納されている。また、上部筐体部１０１内に収納されている光源制御手段及び電源部は、配線１０３を介して、照明モジュール１００と接続している。また、照明モジュール１００と上部筐体部１０１との間には、ワイヤ１０２が介在している。ワイヤ１０２の天井側（上側）の端部は上部筐体部１０１に固定され、ワイヤ１０２の床面側（下側）の端部は照明モジュール１００に固定されている。照明モジュール１００は、天井に固定された上部筐体部１０１からワイヤ１０２によって吊るされた状態になっている。
【００６７】
〔実施の形態３〕
本発明のさらに他の実施形態について図６に基づいて説明すれば、以下のとおりである。図６は、本実施形態の照明モジュール２００の構成を示し、図６の（ａ）は斜視図であり、図６の（ｂ）は正面図である。なお、説明の便宜上、上記実施の形態１にて説明した図面と同じ機能を有する部材については、同じ符号を付記し、その説明を省略する。
【００６８】
本実施形態の照明モジュール２００は、図６の（ａ）及び（ｂ）に示されるように、導光手段２の外周面が傾斜し、該外周面に反射層が設けられている点で、上記実施の形態１の照明モジュール１００と異なる。以下、導光手段２の外周形状について、詳述する。
【００６９】
（導光手段２の外周形状）
図７は、導光手段２の外周形状を示す断面図である。なお、図７には、導光手段２を導光する光の光路も示している。
【００７０】
図６及び図７に示されるように、導光手段２の外周面２４は、Ｚ方向における上側から下側へ向かって幅広になるように傾斜している。そして、導光手段２の外周面２４には、反射層２５が設けられている。
【００７１】
（外周形状および反射層の効果）
図７に基づいて、導光手段２の外周形状および反射層２５の効果について、以下に説明する。
【００７２】
図７に示されるように、発光素子１２から出射した光は、導光手段２の内部を全反射しながら進行しつつ、上述した拡散部（例えば拡散パターン）や添加された拡散剤によって、出射面２２・２３から出射する。
【００７３】
導光手段２内を導光する光のうち、拡散部や拡散剤に入射しない成分は、全反射を繰り返し、最終的に導光手段２の外周面２４に到達する。ここで、本実施形態の照明モジュール２によれば、導光手段２の外周面２４は、Ｚ方向における上側から下側へ向かって幅広になるように傾斜し、かつ外周面２４には、反射層２５が設けられているので、外周面２４に到達した光は、反射層２５で反射し、出射面２２から外部へ出射する。
【００７４】
外周面２４が傾斜しておらず、外周面２４に反射層２５が設けられていない場合、外周面２４に到達した光は、外周面２４から出射してしまう。それゆえ、出射面２２・２３から出射した光を照明光として利用する照明モジュール２００においては、損失となる。
【００７５】
このように、外周面２４を傾斜面とし、かつ外周面２４に反射層２５を設けることによって、反射層２５から反射する光を出射面２２から取り出すことが可能になる。その結果、照明モジュールの照度を上げることが可能になる。
【００７６】
以上のように、本発明の照明モジュールによれば、反射部材４２には、内周面４２ａから外周方向へ延び、かつ、Ｚ方向から見て（図１の（ｂ）参照）、固定部品５を挟むように形成されている。このため、Ｚ方向上側から反射部材４２を設置しても、固定部品５を避けて、かつ、発光素子１２をＺ方向上側から覆うことができる。その結果、光源１が固定部品５により固定されている場合においても、Ｚ方向上側及びＺ方向下側の両側から発光素子１２を覆うことが可能となるため、光利用効率を低減することはない。よって、光利用効率が高い照明モジュールを実現することができる。
【００７７】
また、本発明の照明モジュールを、照明装置をはじめとする電子機器に搭載することによって、光利用効率の高い照明装置を実現することができる。
【００７８】
なお、発光素子１２としては、導光手段２に光を結合可能な光源であればよく、例えばＬＥＤ、有機ＥＬ等が挙げられる。
【００７９】
また、本発明の照明モジュールでは、光源１の配置、導光手段２の開口部を形成する内周面（入射面２１）の形状、及び反射部材４２の開口部を形成する内周面４２ａの形状を１２角形としている。しかし、これら形状は、１２角形に限らず、３角形以上の多角形であればよい。
【００８０】
〔補足〕
なお、本発明は、以下のように表現することもできる。
【００８１】
〔１〕少なくとも1つ以上の発光素子により構成される光源と、上記光源を多角形状に保持するベースと、上記光源をベースに対して固定する固定部品と、上記光源からの光を導光する導光手段と、上記光源と上記導光手段との結合部を覆う反射部材とを有する照明装置であって、上記反射部材は、上記ベースに保持された光源と同じ角数の多角形状開口部を有しており、かつ、上記多角形状開口部の角にはスリットが設けられていることを特長とする照明モジュール。
【００８２】
〔２〕記導光手段の外周は傾斜形状であり、上記傾斜形状には反射層が設けられていることを特徴とする〔１〕に記載の照明モジュール。
【００８３】
〔３〕〔１〕、〔２〕のいずれかに記載の照明モジュールと、光源を点灯させる点灯手段とを備えた照明装置。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８５】
本発明の照明モジュール、及びそれを備えた照明装置は、天井へ吊るすタイプの照明機器、机上に置くタイプの照明機器等の照明機器全般に適用できる。そして、適用分野として、店舗、オフィス等施設、業務用などの各種の照明器具に適用できる。
【符号の説明】
【００８６】
１    光源
１１    基板
１２    発光素子
２    導光手段
２１    入射面（第１の内周面）
２２    出射面
２３    出射面
２４    外周面
２５    反射層
３    ベース（基材）
４１    反射部材
４１ａ  内周面
４２    反射部材
４２ａ  内周面（第２の内周面）
４２ｂ  スリット
４２ｃ  内周部
５    固定部品（固定部材）
１００  照明モジュール
２００  照明モジュール
【図１】
2014041801.tif 000003
【図２】
2014041801.tif 000004
【図３】
2014041801.tif 000005
【図４】
2014041801.tif 000006
【図５】
2014041801.tif 000007
【図６】
2014041801.tif 000008
【図７】
2014041801.tif 000009
【図８】
2014041801.tif 000010
【図９】
2014041801.tif 000011
【図１０】
2014041801.tif 000012